(57)【要約】本発明は特に家具の跳扉（２３）を開閉させるための少なくとも１体の作動アーム（１２）を含んだ作動装置（９）に関する。本作動装置は、作動アーム（１２）を回動式に取り付けた底部材（１５）と作動アーム（１２）に作用するスプリング装置（１９）とを含んでいる。作動アーム（１２）は作動アーム（１２）の旋回速度に基づいて作用する制動装置を有しており、作動アーム（１２）は設定旋回速度以下では本質的には自由に移動でき、設定旋回速度を超えると制動装置（１）が前記作動アーム（１２）を制動する。
2008525673.tif 000002
【特許請求の範囲】
【請求項１】
家具の跳扉を開閉させるための少なくとも１本の作動アームと、該作動アームを回動式に取り付けた底部材と、該作動アームに作用するスプリング装置とを有した作動装置であって、本作動装置は、前記作動アーム（１２）と相互作用する制動装置（１）を含んでおり、該制動装置（１）の作用は前記作動アーム（１２）の旋回速度に基づいており、前記作動アーム（１２）は設定旋回速度以下では本質的に自由に移動でき、設定旋回速度を超えると前記制動装置（１）が前記作動アーム（１２）を制動することを特徴とする作動装置。
【請求項２】
制動装置（１）はスナップ式ロック装置を含んでいることを特徴とする請求項１記載の作動装置。
【請求項３】
制動装置（１）は作動アーム（１２）が設定旋回速度を超えて作動すると起動されることを特徴とする請求項１又は２記載の作動装置。
【請求項４】
制動装置（１）は機械式クラッチ装置を含んでいることを特徴とする請求項１から３のいずれかに記載の作動装置。
【請求項５】
機械式クラッチ装置は遠心力クラッチを含んでいることを特徴とする請求項４記載の作動装置。
【請求項６】
好適にはスプリング式である第１クラッチ部材（２）が作動アーム（１２）上に提供されており、該第１クラッチ部材（２）は前記作動アーム（１２）の軸受中心軸（３）上に提供されて自由に放射移動でき、前記第１クラッチ部材は遠心力クラッチの一部を形成することを特徴とする請求項５記載の作動装置。
【請求項７】
第１クラッチ部材（２）は少なくとも１体の停止歯（７）を含んでおり、該停止歯は好適には内側ギヤを有するリング体である第２クラッチ部材（４）と１位置で係合することを特徴とする請求項６記載の作動装置。
【請求項８】
第１クラッチ部材（２）は少なくとも１体の内側摩擦部を含んでおり、該内側摩擦部は、自身も内側摩擦部を含む第２クラッチ部材（４）と１位置で係合することを特徴とする請求項６記載の作動装置。
【請求項９】
第２クラッチ部材（４）は作動アーム（１２）の軸受中心軸（３）と共軸状態で提供されていることを特徴とする請求項７又は８記載の作動装置。
【請求項１０】
第１クラッチ部材（２）が第２クラッチ部材（４）から外れるように、前記第１クラッチ部材（２）は好適にはスプリングである少なくとも１体のエネルギー保存装置（５）によってエネルギーが提供されることを特徴とする請求項７から９のいずれかに記載の作動装置。
【請求項１１】
制動装置（１）を起動させる旋回速度の設定閾値はエネルギー保存装置（５）によって設定されることを特徴とする請求項１０記載の作動装置。
【請求項１２】
エネルギー保存装置（５）は第１クラッチ部材（２）と、作動アーム（１２）の軸受中心軸（３）と好適には共軸状態にある受領部材（６）との間で作用するように提供されていることを特徴とする請求項１０又は１１記載の作動装置。
【請求項１３】
受領部材（６）は作動アーム（１２）の軸受中心軸（３）に無トルク状態で連結されていることを特徴とする請求項１２記載の作動装置。
【請求項１４】
受領部材（６）は作動アーム（１２）の軸受中心軸（３）に回転式に連結されていることを特徴とする請求項１２記載の作動装置。
【請求項１５】
受領部材（６）の回転は減衰装置（１６）によって減衰されることを特徴とする請求項１４記載の作動装置。
【請求項１６】
減衰装置（１６）は少なくとも１体の摩擦ダンパ及び／又は少なくとも１体の流体ダンパ（好適には回転ダンパ又はリニアダンパ）を含んでいることを特徴とする請求項１５記載の作動装置。
【請求項１７】
制動装置（１）は少なくとも１体の流体ダンパ（３０）（好適にはリニアダンパ）を含んでいることを特徴とする請求項１から１６のいずれかに記載の作動装置。
【請求項１８】
流体ダンパ（３０）は作動アーム（１２）に対して直接的又は間接的に作用することを特徴とする請求項１７記載の作動装置。
【請求項１９】
スプリング装置、スプリング式設定部並びに該設定部の動作を作動アームの回動に変換する伝達機構を備えた作動装置であって、前記伝達機構は、一方側が前記スプリング式設定部によってエネルギー付与され、他方側が（好適には推力ロールを介して）前記作動アームに提供されるコントロールカムに当接している少なくとも１体の回動式中間レバーを含んでおり、制動装置（１）は前記作動アーム（１２）の前記コントロールカム（３１）に対して好適にはヒンジ式に作用する流体ダンパ（３０）を含んでいることを特徴とする請求項１から１８のいずれかに記載の作動装置。
【請求項２０】
流体ダンパ（３０）は伝達機構（３３）の中間レバー（１１）に作用することを特徴とする請求項１９記載の作動装置。
【請求項２１】
流体ダンパ（３０）は一方側が底部材（１５）にヒンジ式に固定されており、他方側が作動アーム（１２）に連接されていることを特徴とする請求項１７から２０のいずれかに記載の作動装置。
【請求項２２】
流体ダンパ（３０）はピストンが内部で移動可能なシリンダ（３７）を有しており、該シリンダ（３７）は流体（好適には油）用の少なくとも１本の通路（４０）を含んでおり、前記流体ダンパ（３０）に適用される引き込み動作又は圧力が設定閾値を越えた場合、前記流体用通路（４０）は好適には追加ピストンである遮断要素（４２）によって閉鎖されることを特徴とする請求項１７から２１記載の作動装置。
【請求項２３】
遮断要素（４２）は少なくとも１体のスプリング（４３ａ）によってエネルギーを提供されることを特徴とする請求項２２記載の作動装置。
【請求項２４】
遮断要素（４２）は好適には反対方向へ作用する２体のスプリング（４２ａ、４３ｂ）によってエネルギーを提供されることを特徴とする請求項２３記載の作動装置。
【請求項２５】
家具の跳扉を開閉させるための少なくとも１本の作動アームと、該作動アームを回動式に取り付けた底部材と、該作動アームに作用するスプリング装置とを有した作動装置であって、前記跳扉（２３）が未装着である空作動アームのための安全装置（２２）をさらに含んでおり、該安全装置（２２）は前記空作動アーム（１２）の開速度を制限する制動装置（１）を含んでいることを特徴とする請求項１から２４のいずれかに記載の作動装置。
【発明の詳細な説明】
【技術分野】
【０００１】
本発明は、家具の跳扉を操作するように設計された少なくとも１本の作動アームと、作動アームを回動式に取り付ける底部材と、作動アームに作用するスプリング装置とを備えた作動装置に関する。
【背景技術】
【０００２】
この種類の作動装置は一般的に家具の横壁板に取り付けられ、作動アームに接続された跳扉を開閉させる。跳扉のサイズと重量によっては作動装置にはスプリング装置が提供され、重量跳扉であっても開閉できるように強力なスプリング力を作動アームに作用させて開閉を助けている。
【発明の開示】
【発明が解決しようとする課題】
【０００３】
しかし、そのような構造の跳扉設置時あるいは交換時には危険が伴う。強力に加圧されたスプリング装置は比較的に軽量な作動アームを弾丸のように弾く。この理由で、そのような作動装置の収容体上には作動アームの飛出し動作の危険性を知らせる注意書きが貼付されている。スプリング装置でエネルギーを与えられた作動アームは、制動作用を働かせる跳扉が作動アームに連結されていないときにはスプリング力によって深刻な事故を引き起こす恐れがある。
【０００４】
よって、本発明の１目的は跳扉設置時の前述の危険を低減し、操作を安全にすべく作動装置を改良することである。
【課題を解決するための手段】
【０００５】
本発明の１好適実施例においては、この目的は作動アームと相互作用する制動装置を含む作動装置の提供により達成される。この制動作用は、設定旋回速度以下では作動アームを自由に動かすが、設定旋回速度を超えると作動するように設計されている。
【０００６】
本発明で使用する“スプリング装置”とは機械式スプリング部材のみならず、例えば気圧装置等を含むあらゆる反発力保存装置のことである。
【０００７】
この制動装置は作動アームが意図に反して開動作することを効果的に防止する。この制動装置は自動車の安全ベルトの場合と同様に作動アームの作用速度を規制し、動作を制御する。スプリング装置の作用による作動アームの急激動作は、作動アームの旋回速度が設定閾値を超えると同時的に作動アームを減速又は急停止させる。
【０００８】
本発明の作動装置の１好適実施例では跳扉が未装着である作動アームの安全装置が利用される。この安全装置は空作動アームの開速度を制限する制動装置を含む。
【０００９】
本発明の１好適実施例の制動装置はスナップ式ロック装置を含む。
【００１０】
作動アームは開状態の跳扉に対応する外端部と内端部との間で可動である。底部材は家具に固定でき、少なくとも１本の作動アームによって完全開位置と完全閉位置との間で跳扉を移動させる。
【００１１】
本発明の１好適実施例では作動アームが設定旋回速度を超えて作動すると、制動・停止装置を起動させる。作動アームの旋回速度あるいは作用するトルクが設定値を超えなければ制動・停止装置は作動しない。すなわち制動・停止装置は正常使用時には跳扉の動作に影響を及ぼさない。
【００１２】
制動・停止（ロック）装置で作動アームの旋回速度は低減され、及び／又は作動アームはその回動位置で一時的に静止される。作動アームの旋回速度は徐々に減少し、あるいは急停止する。
【００１３】
本発明の１好適実施例では機械式クラッチ装置を含む制動・停止装置が提供される。この機械式クラッチ装置は遠心力クラッチであることが望ましい。好適にはスプリング式である第１クラッチ部材が作動アーム上に提供される。この第１クラッチ部材は作動アームの軸受中心軸上に提供されて、作動アーム軸受中心軸を自由に放射移動でき、遠心力クラッチの一部を形成する。もし作動アームの旋回速度が設定閾値を超えると、第１クラッチ部材は作用する遠心力によって放射方向に押し出される。第１クラッチ部材が、１位置で第２クラッチ部材（好適には内側ギヤを有するリング体）に作用する少なくとも１体の停止歯を含んでいることが好ましい。このラッチ構造の代用として本発明の別実施例では第１クラッチ部材には少なくとも１体の内側摩擦部を装着させることができる。この内側摩擦部は、自身にも内側摩擦部を装着した第２クラッチ部材と１位置で係合する。発生する遠心力はこれら両内側摩擦部に反対圧力を作用させ、作動アームの旋回速度を効果的に低減させる。
【００１４】
この遠心力クラッチに関して第１クラッチ部材は少なくとも１体のエネルギー保存装置（好適にはスプリング）によって第２クラッチ部材との係合を外される。このエネルギー保存装置によって第１クラッチ部材は待機位置に戻ることができる。一方、このエネルギー保存装置の作用力は作動アームの旋回速度の設定閾値を設定する。なぜなら遠心力クラッチはその設定閾値を越えた後に作動できるからである。この点で旋回速度の設定閾値をエネルギー保存装置で設定することが好ましい。エネルギー保存装置が少なくとも１体のスプリングで形成されるなら、旋回速度の設定閾値はそのスプリングを予め作用させることでセットできる。
【００１５】
本発明の１好適実施例ではエネルギー保存装置は、第１クラッチ部材と、作動アームの軸受中心軸と共軸状態にある受領部材との間で作用するように提供されている。
【００１６】
受領部材が無トルク状態で作動アームの軸受中心軸に連結されているなら、旋回速度を超えればこのシステムは急停止するであろう。１実施例によれば、受領部材は回転式に軸受中心軸に設置できる。このことは、受領部材の回転が減衰装置により減衰されるなら有益である。この減衰装置が少なくとも１体の摩擦ダンパ（減衰器）及び／又は少なくとも１体の流体ダンパ（好適には回転ダンパ又はリニアダンパ）を有していれば特に好ましい。もし受領部材がそのように減衰されれば、このシステムは急停止せずに緩やかに減速し、作動力及びトルクを減少させることができる。
【００１７】
別実施例では制動装置は少なくとも１体の流体ダンパ（好適にはリニアダンパ）を含む。このアレンジは流体ダンパを作動アームと直接的あるいは間接的に係合させることができる。もちろんこのデザインに対応する構造を有した回転ダンパでも使用できる。
【００１８】
本発明の実施例の１利点は、作動装置がスプリング式設定部並びにその設定部の動作を作動アームの回動に変換する伝達機構を備えたスプリング装置を含むことである。この伝達機構はスプリング式設定部により操作され、好適には推力ロールを介して、作動アーム上に提供されるコントロールカムに当接する少なくとも１体の中間レバーを含む。この制動装置は作動アームのコントロルールカムにヒンジ式に作用する少なくとも１体の流体ダンパを含む。
【００１９】
本発明の別実施例によれば、制動装置の流体ダンパは伝達機構に作用し、好適には中間レバーに作用する。
【発明を実施するための最良の形態】
【００２０】
本発明のさらなる詳細は以下において添付図面を利用して説明する。図１ａから図１ｅは本発明の制動・停止装置の１実施例を様々に図示する。図１ａから図１ｃは作動アーム（図示せず）の旋回速度が設定閾値を超えた場合の係合状態を経時的に図示する。図１ａは非ギヤ係合状態の制動・停止装置を示し、図１ｂはスナップ係合状態時を示し、図１ｃは停止状態を示す。図１ｄの分解図から理解されようが、制動・停止装置１はラチェットギヤでラッチロックされるように設計されている。受領部材６は作動アームの軸受中心軸３と共軸状態で取り付けられている。受領部材６は第２クラッチ部材４が押入れ可能に提供されている。図示の例では第２クラッチ部材４は内側歯リング体として製造されている。第１クラッチ部材２はこの内側歯リング体４と係合する。第１クラッチ部材２は放射方向に自由に動ける軸受中心軸３上の位置で製造されている。これは長形スロット穴８によって可能である。さらに第１クラッチ部材２は少なくとも１体のラチェットギヤあるいは停止歯７を有している。これはリング体４のギヤ構造部と係合できる。その作用力が作動アームの旋回速度の設定閾値を設定するスプリング５は第１クラッチ部材２と受領部材６との間で作用する。第１クラッチ部材２は作動アーム上に位置するか、その一部として設計されており、あるいは作動アームと共軸的にカップリングされている。作動アームがスプリング装置で作動される状態であればこの遠心力クラッチは機能を発揮する。スプリング５の作用力が超えられれば、第１クラッチ部材２は作用する遠心力によって外方向に押し出され、停止歯７はリング体４のギヤ構造部と係合できる。図１ａから図１ｃはその係合プロセスを示す。図１ｅは制動・停止装置１の斜視図である。同一機構はクラッチ部材２及び４両方のギヤ構造部に適用できるだけではなく、停止歯７の代わりに第１クラッチ部材２の内側摩擦部に適用させることも本発明の想定内である。この内側摩擦部は、作用する遠心力によって第２クラッチ部材の内側摩擦部と共作用できる。
【００２１】
図２ａから図２ｃは作動装置９に関連する制動・停止装置１の係合プロセスを経時的に示している。作動装置９は跳扉を閉位置から開位置又はその逆方向へ移動させるように提供されている。作動装置９の底部材１５は一般的に家具の横壁板に取り付けられている。作動アーム１２は軸受中心軸３上に提供されている。中間レバー１１を介してトルクで作動アーム１２に作用するスプリング装置１９は家具跳扉の重量バランスをとるために提供されている。跳扉が未装着の状態では危険なトルクが発生し、作動アーム１２を意図に反して開動作させて事故を引き起こす可能性がある。このため好適には作動アーム１２の軸受中心軸３に共軸的に取り付けられた制動・停止装置１が提供されている。図２ａは非ギヤ係合状態の制動・停止装置１を示しており、作動アーム１２は自由に移動できる。すなわち回動運動を可能にする。作動アーム１２の旋回速度が設定閾値を超えると、図１ａから図１ｅで説明したクラッチ部材２と４が図２ｂに示すごとく互いに徐々に係合し始める。図２ｃは制動・停止装置１のギヤ位置を示しており、両クラッチ部材２と４は互いに完全に係合している。跳扉が閉まる時の不快音を防止又は少なくとも減少させるため、作動アーム１２上のラグ１４による跳扉の閉動作で作動するダンパ１３が提供されている。
【００２２】
図３は本発明による作動装置９の斜視図である。スプリング装置１９によってエネルギーを与えられた回動レバー１０が中間レバー１１に連結されており、この中間レバーは作動アーム１２にカップリングされている。跳扉を移動させる作動アーム１２は底部材１５の軸受中心軸３上に取り付けられている。作動アーム１２の旋回速度を制限するために制動・停止装置１が提供されており、図示の実施例では軸受中心軸３に共軸的に取り付けられている。第１クラッチ部材２の停止歯７は設定旋回速度又は作動トルクを超えるとリング４のギヤと係合でき、これによってカップリングされた作動アーム１２の運動を停止させる。図示の実施例では軸受中心軸３に受領部材６が無トルク状態で装着されている。
【００２３】
図４は本発明の別実施例を示している。作動装置９は底部材１５を有しており、その上の旋回点１７にスプリング装置１９が提供されている。スプリング装置１９は回動点１８に提供された回動レバー１０にエネルギーを提供する。作動アーム１２にかかる力は、一端が回動レバー１０上に、他端が作動アーム１２上に連接されている中間レバー１１によって移動される。図１から図３にかけて示す実施例とは対照的に、受領部材６は軸受中心軸３に堅く連結されてはいないが回転は可能である。この回転運動は受領部材６と共作動する減衰装置１６によって減衰される。この実施例では、減衰装置１６は受領部材６の外側に連結された回転ダンパとして設計されている。この利点は、制動・停止装置が作動している時はシステムが急停止せず、緩やかで確実に減速されることである。
【００２４】
図５は本発明の別実施例を示している。制動・停止装置１の作動原理は図４のものと類似しており、作動アーム１２（図示せず）は停止歯７が内側歯リング体４と係合している時は急停止しない。図４に示す回転ダンパ１６の代わりに、内側歯リング体４の外側は外側摩擦リング体２０の内側摩擦部２１と係合する。摩擦リング体２０は好適には定位置に提供されている。内側摩擦部２１は摩擦リング体２０に対して緩く当接するように設計されており、その両部分４、２０の相対運動が可能である。内側摩擦部２１は少なくとも１体のゴム層（例：マルチディスク）又は高粘度流体を含むことができる。旋回速度が設定閾値を超えると、第１ステップで停止歯７が内側歯リング体４と係合する。供給エネルギーによる内側歯リング体４の逆時計回り回動運動が内側摩擦部２１によって減速される。作動アーム１２の設定旋回又は角速度を超えると、係合に加えて制動効果が発生し、停止するまで作動アーム１２の回動運動を減衰させる。
【００２５】
図６は家具の横壁板に固定された状態の本発明の作動装置９を示している。作動装置９は図４で説明したごとき構造に対応しており、作動アーム１２はスプリング装置１９によってエネルギーが与えられ、跳扉が急に外れる危険性がある。このため跳扉が未装着状態の作動アームへ安全装置２２が提供される。安全装置２２は作動アーム１２の開速度を制限する制動装置１を含んでいる。図示の実施例では、部分２４ａと２４ｂとで成る伸縮自在な作動アーム延長部２４が作動アーム１２へ装着されている。両部分２４ａと２４ｂの相対位置はクランプレバー２４ｃでロックできる。作動アーム延長部２４は支持部２５によって跳扉の自由端に固定できる。作動アーム延長部２４を備えた作動アーム１２は本質的には設定旋回速度以下で自由に移動でき、設定旋回速度以上の旋回速度では作動アーム１２とその作動アーム延長部２４は制動及び／又は停止される。
【００２６】
図７は作動装置９を示しており、作動アーム延長部２４の支持部２５は跳扉２７にその側面の留具２８によって連結されている。
【００２７】
図８は本発明による制動装置１の一部としての流体ダンパ３０を備えた作動装置９の別実施例を示している。作動装置９は回動点１７にスプリング装置１９が取り付けられた底部材１５を有している。スプリング式設定部３４は伝達機構３３上（この場合中間レバー１１上）に調節式に提供されており、スプリング式設定部３４の運動と作動アーム１２の回動との間の伝達比が変更できる。作動アーム１２又は作動アーム延長部２４（図示せず）の回動中には、推力ロール３２がコントロールカム３１の外面３１ａに沿って走行するように、中間レバー１１は回動軸１１ａ上に回動式に提供され、外面３１ａ上に推力ロール３２と共に当接する。コントロールカム３１は軸受中心軸３上に取り付けられており、作動アーム１２の一部を形成している。その重量に対応して跳扉２７（図示せず）がどの位置にでも保持されるよう、中間レバー１１上でのスプリング装置１９の位置調節によってコントロールカム３１への力を設定できる。本発明による流体ダンパ３０を含んだ制動装置１又は安全装置２２には、作動アーム１２又は作動アーム延長部２４が制御不能状態に外れることを防止するため、未連接状態の跳扉が提供されている。流体ダンパ３０は一方が回動軸３０ａに提供され、他方は作動アーム１２のコントロールカム３１の回動軸３０ｂへ提供されている。作動アーム１２又は作動アーム延長部２４は本質的には設定旋回速度以下で自由に移動できる。このように設定旋回速度以上では流体ダンパ３０が作動して作動アーム１２の急で制御不能な運動を防止する。
【００２８】
図９は、作動アーム１２の旋回速度を低減させる制動装置の一部としての流体ダンパ３０を有した図８の実施例を示している。図８とは対照的に、作動アーム１２は開位置にあり、流体ダンパ３０のピストンロッドはシリンダに対してさらに延び出た位置にある。
【００２９】
図１０は図８と図９で示す作動装置の実施例を示した斜視図である。スプリング装置１９は回動点１７に可動状態で提供されており、コントロールカム３１上の推力ロール３２の力を変更できるようにスプリング式設定部３４は中間レバー１１上に調節式に取り付けられている。設定閾値よりも速い作動アーム１２の旋回速度は制動装置１の一部を形成する流体ダンパ３０によって減速又は停止される。流体ダンパ３０はスプリング装置１９の一方側に取り付けられているが、底部材１５の定位置にヒンジ式に取り付けることもできる。他方側ではピストンロッドの自由端はコントロールカム３１と係合するか、あるいは本発明の他の実施例に従って伝達機構３３の一部を形成する中間レバー１１と係合することもできる。重要なことは、流体ダンパ３０が作動アーム１２の旋回速度に直接的又は間接的に影響するように提供されていることである。
【００３０】
図１１ａから図１１ｃは本発明を明確に説明するための流体ダンパ３０の実施例を示している。流体ダンパ３０は、ピストンロッド３６が内部で移動できるピストン３５を備えたシリンダ３７を含んでいる。図１１ａは断面Ａ−Ａを示しており、図１１ｂは側面を、図１１ｃは図１１ａのＢ部分を拡大したものを示している。図１１ｃに示すように、シール部３８を備えたピストン３５はシリンダ３７内で直線的に調節でき、ピストンロッド３６はピストン３５に永久的に連結されている。流体ダンパ３０はシリンダ３７に対して固定位置にある部材３９を含んでおり、これは流体（好適には油）用の少なくとも１本の通路４０を有している。他の小道通路４１ａから４１ｄが通路４０に追加して提供されている。さらに、特定の閾値を超えた場合、図示の矢印Ｚ方向へのピストンロッドの急な引き込み動作によって移動流体の圧力により、スプリング４３ａの力に対抗して通路４０を閉鎖させるべく遮断要素４２が提供されている。図１１ｃで図示のごとく流体ダンパ３０は開位置にあり、ピストンロッド３６並びにピストンロッド３６に連接されている作動アーム１２の自由動作を可能にしている。流体ダンパ３０の改良切替動作のために追加のスプリング４３ｂが提供されており、スプリング４３ｂの力はスプリング４３ａに対抗して提供される。スプリング４３ｂは、閉動作後に遮断要素４２が突然開くことを防止する。遮断要素４２は図示のごとく浮遊ピストンとして設計されている。通常作動状態ではシリンダ３７内の油圧流体は装着された絞り弁を妨害されずに通過することができる。油圧油の通過速度が特定閾値を超えた場合、浮遊ピストン４２は右方向へ移動して通路４０を閉鎖させる。
【００３１】
図１２ａから図１２ｃは、図１１ａから図１１ｃの流体ダンパ３０の類似例を示しており、遮断要素４２（浮遊ピストン）が通路４０を閉鎖させる点が異なっている。図１１ｃとは対照的に流体が部材３９を通過しないように、ピストンロッドのＺ方向への急な引き込み動作によって引き起こされるシリンダ３７内の移動流体の圧力によって、遮断要素４２は通路４０の対応シール面に対して押圧される。従ってピストンロッド３６又は作動アーム１２の移動は停止される。この結果ピストンロッド３６が設定速度以下で移動する場合、スプリング４３ａは低抵抗性に設計されているスプリング４３ｂの力に対して遮断要素４２をその元の位置へ押圧することで流体は部材３９を再び妨害なく通過することができる。
【００３２】
本発明は上述の実施例のみに限定されず、添付の請求の範囲内の全ての変更例や均等技術が含まれる。上述の説明で選択された位置の詳細は、作動装置９の通常の設置位置や説明した図面に関するものであって、別の位置に変更することもできる。機械式停止装置と流体ダンパ３０を本発明による制動装置３０又は安全装置２２の一部とすることも本発明の範囲内である。
【図面の簡単な説明】
【００３３】
【図１ａ】図１ａは制動・停止装置の１例を様々に示す。
【図１ｂ】図１ｂは制動・停止装置の１例を様々に示す。
【図１ｃ】図１ｃは制動・停止装置の１例を様々に示す。
【図１ｄ】図１ｄは制動・停止装置の１例を様々に示す。
【図１ｅ】図１ｅは制動・停止装置の１例を様々に示す。
【図２ａ】図２ａは本発明の作動装置の一部を形成する制動・停止装置のギヤ機構を経時的に示す。
【図２ｂ】図２ｂは本発明の作動装置の一部を形成する制動・停止装置のギヤ機構を経時的に示す。
【図２ｃ】図２ｃは本発明の作動装置の一部を形成する制動・停止装置のギヤ機構を経時的に示す。
【図３】図３は制動・停止装置の斜視図である。
【図４】図４は減衰された受領部材の別実施例である。
【図５】図５は制動・停止装置の別実施例である。
【図６】図６は跳扉が未装着である家具横壁板に固定された状態の作動装置を示す
【図７】図７は跳扉が装着された家具横壁板に固定された状態の作動装置を示す。
【図８】図８は閉位置にある作動アームを有しており、制動装置が流体ダンパである作動装置の別実施例である。
【図９】図９は開位置にある作動アームを有した図８の作動装置の実施例である。
【図１０】図１０は図８と図９で示す作動装置の斜視図である。
【図１１ａ】図１１ａは本発明の制動装置の一部としての流体ダンパを示しており、この流体ダンパはピストンロッド及び作動アームのそれぞれの自由動作を可能にしている。
【図１１ｂ】図１１ｂは本発明の制動装置の一部としての流体ダンパを示しており、この流体ダンパはピストンロッド及び作動アームのそれぞれの自由動作を可能にしている。
【図１１ｃ】１１ｃは本発明の制動装置の一部としての流体ダンパを示しており、この流体ダンパはピストンロッド及び作動アームのそれぞれの自由動作を可能にしている。
【図１２ａ】図１２ａは図１１ａの流体ダンパの別実施例であり、この流体ダンパは作動アームの動作を制動・停止させる。
【図１２ｂ】図１２ｂは図１１ｂの流体ダンパの別実施例であり、この流体ダンパは作動アームの動作を制動・停止させる。
【図１２ｃ】図１２ｃは図１１ｃの流体ダンパの別実施例であり、この流体ダンパは作動アームの動作を制動・停止させる。
【図１ａ】
2008525673.tif 000003
【図１ｂ】
2008525673.tif 000004
【図１ｃ】
2008525673.tif 000005
【図１ｄ】
2008525673.tif 000006
【図１ｅ】
2008525673.tif 000007
【図２ａ】
2008525673.tif 000008
【図２ｂ】
2008525673.tif 000009
【図２ｃ】
2008525673.tif 000010
【図３】
2008525673.tif 000011
【図４】
2008525673.tif 000012
【図５】
2008525673.tif 000013
【図６】
2008525673.tif 000014
【図７】
2008525673.tif 000015
【図８】
2008525673.tif 000016
【図９】
2008525673.tif 000017
【図１０】
2008525673.tif 000018
【図１１ａ】
2008525673.tif 000019
【図１１ｂ】
2008525673.tif 000020
【図１１ｃ】
2008525673.tif 000021
【図１２ａ】
2008525673.tif 000022
【図１２ｂ】
2008525673.tif 000023
【図１２ｃ】
2008525673.tif 000024
【手続補正書】
【提出日】平成19年8月31日(2007.8.31)
【手続補正１】
【補正対象書類名】特許請求の範囲
【補正対象項目名】全文
【補正方法】変更
【補正の内容】
【特許請求の範囲】
【請求項１】
家具の跳扉を開閉させるための作動装置であって、
前記跳扉を開閉させるための少なくとも１本の作動アームと、
前記作動アームを回動式に取り付けた底部材と、
前記作動アームに作用するスプリング装置と、
を含んでおり、
前記跳扉が未装着である空作動アームのための安全装置が提供されており、前記安全装置は前記空作動アームの開速度を制限する制動装置を含んでいることを特徴とする作動装置。
【請求項２】
制動装置の作用は作動アームの旋回速度に基づいており、前記作動アームは設定旋回速度以下では本質的に自由に移動でき、設定旋回速度を超えると前記制動装置が前記作動アームを制動することを特徴とする作動装置。
【請求項３】
制動装置はスナップ式ロック装置を含んでいることを特徴とする請求項１記載の作動装置。
【請求項４】
制動装置は作動アームが設定旋回速度を超えると起動されることを特徴とする請求項１記載の作動装置。
【請求項５】
制動装置は機械式クラッチ装置を含んでいることを特徴とする請求項１記載の作動装置。
【請求項６】
機械式クラッチ装置は遠心力クラッチを含んでいることを特徴とする請求項５記載の作動装置。
【請求項７】
第１クラッチ部材が作動アーム上に形成されており、前記第１クラッチ部材は前記作動アームの軸受中心軸上に提供されて自由に放射移動でき、前記第１クラッチ部材は遠心力クラッチの一部を形成することを特徴とする請求項６記載の作動装置。
【請求項８】
第１クラッチ部材はスプリング式であることを特徴とする請求項７記載の作動装置。
【請求項９】
第１クラッチ部材は第２クラッチ部材と１位置で係合する少なくとも１体の停止歯を含んでいることを特徴とする請求項７記載の作動装置。
【請求項１０】
第２クラッチ部材は内側ギヤを有するリング体であることを特徴とする請求項９記載の作動装置。
【請求項１１】
第１クラッチ部材は少なくとも１体の内側摩擦部を含んでおり、該内側摩擦部は、自身も内側摩擦部を含む第２クラッチ部材と１位置で係合することを特徴とする請求項９記載の作動装置
【請求項１２】
第２クラッチ部材は作動アームの軸受中心軸と共軸状態で提供されていることを特徴とする請求項９記載の作動装置。
【請求項１３】
第１クラッチ部材が第２クラッチ部材から外れるように、前記第１クラッチ部材は少なくとも１体のエネルギー保存装置によってエネルギーが提供されることを特徴とする請求項９に記載の作動装置。
【請求項１４】
エネルギー保存装置はスプリングを含んでいることを特徴とする請求項１３記載の作動装置。
【請求項１５】
制動装置を起動させる旋回速度の設定閾値はエネルギー保存装置によって設定されることを特徴とする請求項１３記載の作動装置。
【請求項１６】
エネルギー保存装置は第１クラッチ部材と、作動アームの軸受中心軸と共軸状態にある受領部材との間で作用するように提供されていることを特徴とする請求項１３記載の作動装置。
【請求項１７】
受領部材は作動アームの軸受中心軸に無トルク状態で連結されていることを特徴とする請求項１６記載の作動装置。
【請求項１８】
受領部材は作動アームの軸受中心軸に回転式に連結されていることを特徴とする請求項１６記載の作動装置。
【請求項１９】
受領部材の回転は減衰装置によって減衰されることを特徴とする請求項１８記載の作動装置。
【請求項２０】
減衰装置は少なくとも１体の摩擦ダンパ又は少なくとも１体の流体ダンパを含んでいることを特徴とする請求項１９記載の作動装置。
【請求項２１】
制動装置は少なくとも１体の流体ダンパを含んでいることを特徴とする請求項１記載の作動装置。
【請求項２２】
流体ダンパはリニアダンパを含んでいることを特徴とする請求項２１記載の作動装置。
【請求項２３】
流体ダンパは作動アームに対して直接的又は間接的に作用することを特徴とする請求項２１記載の作動装置。
【請求項２４】
スプリング装置はスプリング式設定部を含んでおり、作動アームは、前記スプリング式設定部の動作を前記作動アームの回動に変換する伝達機構を含んでおり、前記伝達機構は、一方側が前記スプリング式設定部によってエネルギー付与され、他方側が推力ロール等を介して前記作動アームに提供されるコントロールカムに当接している少なくとも１体の回動式中間レバーを含んでおり、制動装置は前記作動アームの前記コントロールカムに対して作用する流体ダンパを含んでいることを特徴とする請求項１記載の作動装置。
【請求項２５】
流体ダンパは伝達機構に作用することを特徴とする請求項２４記載の作動装置。
【請求項２６】
流体ダンパは中間レバーに作用することを特徴とする請求項２４記載の作動装置。
【請求項２７】
流体ダンパは一方側が底部材にヒンジ式に固定されており、他方側が作動アームに連接されていることを特徴とする請求項２４記載の作動装置。
【請求項２８】
流体ダンパはピストンが内部で移動可能なシリンダを有しており、該シリンダは流体用の少なくとも１本の通路を含んでおり、前記流体ダンパに適用される引き込み動作又は圧力が設定閾値を越えた場合、前記流体用通路は遮断要素によって閉鎖されることを特徴とする請求項２４記載の作動装置。
【請求項２９】
遮断要素は追加ピストンを含んでいることを特徴とする請求項２８記載の作動装置。
【請求項３０】
遮断要素は少なくとも１体のスプリングによってエネルギーを提供されることを特徴とする請求項２８記載の作動装置。
【請求項３１】
遮断要素は反対方向へ作用する２体のスプリングによってエネルギーを提供されることを特徴とする請求項２８記載の作動装置。
【国際調査報告】
2008525673.tif 000025
2008525673.tif 000026
2008525673.tif 000027
2008525673.tif 000028
2008525673.tif 000029
2008525673.tif 000030